(57)【特許請求の範囲】
【請求項１】
ウェブコンテンツとともに広告コンテンツを表示するウェブブラウザを制御するウェブブラウザ機能部を備える端末装置であって、
前記ウェブブラウザによって表示された前記広告コンテンツの再露出を管理する再露出管理部を備え、
前記再露出管理部は、前記ウェブブラウザによって前記広告コンテンツが表示された場合に、前記広告コンテンツそのものを収集サーバに送信しており、
前記再露出管理部は、前記広告コンテンツの再露出が指示された場合に、前記広告コンテンツの送信を前記収集サーバに要求することによって、前記広告コンテンツの再露出を前記収集サーバに通知するとともに、前記収集サーバから受信する前記広告コンテンツの表示を前記ウェブブラウザ機能部に指示することを特徴とする端末装置。
【請求項２】
ウェブコンテンツとともに広告コンテンツを表示するウェブブラウザを制御するウェブブラウザ機能部を備える端末装置であって、
前記ウェブブラウザによって表示された前記広告コンテンツの再露出を管理する再露出管理部を備え、
前記再露出管理部は、前記ウェブブラウザによって表示された前記広告コンテンツそのものを管理しており、
前記再露出管理部は、前記広告コンテンツの再露出が指示された場合に、前記広告コンテンツの再露出を収集サーバに通知するとともに、前記再露出管理部によって管理されている前記広告コンテンツの表示を前記ウェブブラウザ機能部に指示することを特徴とする記載の端末装置。
【請求項３】
ウェブコンテンツとともに広告コンテンツを表示するウェブブラウザを制御するウェブブラウザ機能部を備える端末装置であって、
前記ウェブブラウザによって表示された前記広告コンテンツの再露出を管理する再露出管理部を備え、
前記再露出管理部は、前記ウェブブラウザによって前記広告コンテンツが表示された場合に、前記広告コンテンツを識別する広告識別情報を収集サーバに送信しており、
前記再露出管理部は、前記広告コンテンツの再露出が指示された場合に、前記広告コンテンツの送信を前記収集サーバに要求することによって、前記広告コンテンツの再露出を前記収集サーバに通知するとともに、前記収集サーバから受信する前記広告コンテンツの表示を前記ウェブブラウザ機能部に指示することを特徴とする端末装置。
【請求項４】
ウェブコンテンツとともに広告コンテンツを表示するウェブブラウザを制御するウェブブラウザ機能部を備える端末装置であって、
前記ウェブブラウザによって表示された前記広告コンテンツの再露出を管理する再露出管理部を備え、
前記再露出管理部は、前記ウェブブラウザによって表示された前記広告コンテンツを識別する広告識別情報を管理しており、
前記再露出管理部は、前記広告コンテンツの再露出が指示された場合に、前記広告コンテンツの再露出を収集サーバに通知するとともに、前記再露出管理部によって管理されている前記広告識別情報によって前記広告コンテンツを取得して、前記広告コンテンツの表示を前記ウェブブラウザ機能部に指示することを特徴とする端末装置。
【請求項５】
ウェブコンテンツとともに広告コンテンツを表示するウェブブラウザを制御するウェブブラウザ機能部を備える端末装置であって、
前記ウェブブラウザによって表示された前記広告コンテンツの再露出を管理する再露出管理部を備え、
前記ウェブブラウザ機能部は、収集サーバをプロキシサーバとして設定しており、
前記ウェブブラウザ機能部は、前記収集サーバを経由して前記広告コンテンツを取得するとともに、前記広告コンテンツを識別する広告識別情報を前記再露出管理部に通知することを特徴とする端末装置。
【請求項６】
ウェブコンテンツとともに広告コンテンツを表示するウェブブラウザを制御するウェブブラウザ機能部を備える端末装置であって、
前記ウェブブラウザによって表示された前記広告コンテンツの再露出を管理する再露出管理部を備え、
前記再露出管理部は、前記ウェブブラウザに表示された前記広告コンテンツまたは前記広告コンテンツの識別情報を収集サーバに通知するとともに、前記広告コンテンツの再露出を前記収集サーバに通知し、
前記再露出管理部は、当該再露出管理部が管理する前記広告コンテンツまたは前記収集サーバから受信した前記広告コンテンツの表示を前記ウェブブラウザ機能部に指示することを特徴とする端末装置。
【請求項７】
請求項６に記載の端末装置であって、
前記収集サーバは、視聴データを収集するサーバであって、
前記再露出管理部は、前記ウェブブラウザに表示された前記広告コンテンツまたは前記広告コンテンツの識別情報、及び、前記広告コンテンツの再露出を、前記視聴データとして前記収集サーバに通知することを特徴とする端末装置。
【請求項８】
請求項１から請求項７のいずれか一項に記載の端末装置として、コンピュータを機能させるためのプログラム。
【発明の詳細な説明】
【技術分野】
【０００１】
本発明は、ウェブコンテンツとともに広告コンテンツを表示する端末装置、収集サーバ及び管理方法に関する。
【背景技術】
【０００２】
従来、ウェブコンテンツの視聴データを収集する様々な技術が提案されている（例えば、特許文献１）。例えば、測定タグを用いる手法やツールバーを用いる手法が提案されている。
【０００３】
測定タグを用いる手法では、ウェブサーバ側においてウェブコンテンツに測定タグが埋め込まれている。ウェブブラウザ側においてウェブコンテンツに埋め込まれた測定タグがウェブブラウザ上で実行されると、ウェブブラウザを識別するクッキーＩＤとウェブコンテンツの視聴データとの対応関係が収集される。
【０００４】
ツールバーを用いる手法では、ツールバーがインストールされたウェブブラウザでウェブコンテンツが視聴された場合に、ツールバーを識別するツールバーＩＤとウェブコンテンツの視聴データとの対応関係が収集される。
【先行技術文献】
【特許文献】
【０００５】
【特許文献１】特開２０１１−５３８１２号公報
【発明の概要】
【発明が解決しようとする課題】
【０００６】
ところで、ウェブコンテンツとともに、広告コンテンツが表示されるケースが存在する。広告コンテンツの選択（例えば、画像のクリック）が行われると、広告コンテンツに対応する情報（例えば、広告ウェブコンテンツ）が表示される。
【０００７】
このようなケースにおいて、広告コンテンツの表示が解除された後において、過去に表示されていた広告コンテンツを再び視聴したいというニーズが存在する。広告コンテンツの表示が解除されるケースとしては、例えば、広告コンテンツが時間経過とともに切り替わるケース、広告コンテンツとともに表示されていたウェブコンテンツを切り替えるケース、ウェブブラウザを閉じるケースが考えられる。
【０００８】
そこで、本発明は、上述した課題を解決するためになされたものであり、過去に表示されていた広告コンテンツの再視聴を可能とする端末装置、収集サーバ及び管理方法を提供することを目的とする。
【課題を解決するための手段】
【０００９】
第１の特徴に係る端末装置は、ウェブコンテンツとともに広告コンテンツを表示するウェブブラウザを制御するウェブブラウザ機能部を備える。端末装置は、前記ウェブブラウザによって表示された前記広告コンテンツの再露出を管理する再露出管理部を備える。前記再露出管理部は、前記広告コンテンツの再露出を収集サーバに通知する。
【００１０】
第２の特徴に係る収集サーバは、端末装置のウェブブラウザによってウェブコンテンツとともに表示される広告コンテンツの視聴データを収集する。収集サーバは、前記広告コンテンツそのもの及び前記広告コンテンツを識別する広告識別情報の少なくともいずれかを記憶する記憶部と、前記ウェブブラウザによって表示された前記広告コンテンツの再露出の通知を前記端末装置から受信する受信部とを備える。
【００１１】
第３の特徴に係る管理方法は、端末装置のウェブブラウザによってウェブコンテンツとともに広告コンテンツを表示するステップＡと、前記ウェブブラウザによって表示された前記広告コンテンツの再露出を管理するステップＢと、前記広告コンテンツの再露出を収集サーバに通知するステップＣとを備える。
【発明の効果】
【００１２】
本発明によれば、過去に表示されていた広告コンテンツの再視聴を可能とする端末装置、収集サーバ及び管理方法を提供することができる。
【図面の簡単な説明】
【００１３】
【図１】図１は、第１実施形態に係る視聴調査システム１００を示す図である。
【図２】図２は、第１実施形態に係る端末装置１０を示すブロック図である。
【図３】図３は、第１実施形態に係る表示部１３に表示される画像を示す図である。
【図４】図４は、第１実施形態に係る表示部１３に表示される画像を示す図である。
【図５】図５は、第１実施形態に係る収集サーバ３０を示すブロック図である。
【図６】図６は、第１実施形態に係る管理方法１を示すシーケンス図である。
【図７】図７は、第１実施形態に係る管理方法２を示すシーケンス図である。
【図８】図８は、第１実施形態に係る管理方法３を示すシーケンス図である。
【図９】図９は、第１実施形態に係る管理方法４を示すシーケンス図である。
【図１０】図１０は、変更例１に係る管理方法を示すシーケンス図である。
【発明を実施するための形態】
【００１４】
以下において、本発明の実施形態に係る視聴調査システムについて、図面を参照しながら説明する。なお、以下の図面の記載において、同一又は類似の部分には、同一又は類似の符号を付している。
【００１５】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１６】
［実施形態の概要］
実施形態に係る端末装置は、ウェブコンテンツとともに広告コンテンツを表示するウェブブラウザを制御するウェブブラウザ機能部を備える。端末装置は、前記ウェブブラウザによって表示された前記広告コンテンツの再露出を管理する再露出管理部を備える。前記再露出管理部は、前記広告コンテンツの再露出を収集サーバに通知する。
【００１７】
実施形態では、再露出管理部は、ウェブブラウザによって表示された広告コンテンツの再露出を管理する。従って、ユーザは、ユーザが過去に見逃した広告コンテンツを再視聴することが可能である。実施形態において、広告コンテンツとは、例えば、バナー広告の画像である。従って、広告コンテンツの選択（例えば、画像のクリック）が行われると、広告コンテンツに対応する情報（広告主の広告ウェブコンテンツ）が表示されてもよい。
【００１８】
実施形態では、再露出管理部は、広告コンテンツの再露出を収集サーバに通知する。ここで、広告コンテンツの再露出は、ユーザが過去に見逃した広告コンテンツを意図的に視聴することを意味するため、”広告コンテンツの再露出”は、広告コンテンツの効果を測定する上で非常に有用な情報である。このような情報が収集サーバに通知されるため、収集サーバは、広告コンテンツの効果測定を効果的に行うことが可能である。
【００１９】
［第１実施形態］
（視聴調査システム）
以下において、第１実施形態に係る視聴調査システムについて説明する。図１は、第１実施形態に係る視聴調査システム１００を示す図である。
【００２０】
図１に示すように、視聴調査システム１００は、端末装置１０と、ＡＤサーバ２０と、収集サーバ３０と、集計サーバ４０と、ネットワーク５０とを有する。
【００２１】
端末装置１０は、パーソナルコンピュータ、携帯電話、テレビ、カーナビゲーションなどの端末である。端末装置１０は、ユーザがウェブコンテンツを閲覧するウェブブラウザを制御するウェブブラウザ機能部を有する。
【００２２】
第１実施形態において、ウェブコンテンツは、広告コンテンツとともに表示される。ウェブコンテンツは、例えば、ポータルサイトに対応するウェブページである。広告コンテンツは、例えば、バナー広告などである。広告コンテンツは、広告主の広告ウェブコンテンツと対応付けられていてもよい。広告ウェブコンテンツは、ウェブコンテンツの一種である。
【００２３】
ＡＤサーバ２０は、広告コンテンツを提供するサーバである。図１では省略しているが、ネットワーク５０上には、ウェブコンテンツを提供するサーバが設けられていてもよい。
【００２４】
収集サーバ３０は、ウェブブラウザによって表示された情報（ウェブコンテンツ又は広告コンテンツ）の視聴データを収集するサーバである。第１実施形態では、収集サーバ３０は、広告コンテンツの再露出についても視聴データとして収集する。第１実施形態では、広告コンテンツについて主として説明する。
【００２５】
視聴データは、例えば、ユーザＩＤ、広告コンテンツ（或いは、広告コンテンツを識別する広告識別情報）、広告コンテンツの配信時間、広告コンテンツの広告主を示す情報を含む。広告識別情報は、例えば、広告コンテンツのアドレスを示すＵＲＬである。ユーザＩＤとしては、端末装置１０及びウェブブラウザに一意に割り振られるクッキーＩＤが用いられてもよい。
【００２６】
集計サーバ４０は、広告コンテンツの広告主などの顧客からの要求に応じて、視聴データを集計するサーバである。具体的には、集計サーバ４０は、収集サーバ３０によって収集された視聴データに基づいて、広告識別情報毎に広告コンテンツの視聴データを集計する。
【００２７】
例えば、（Ａ）集計サーバ４０は、広告コンテンツの総露出回数を集計する。或いは、（Ｂ）集計サーバ４０は、広告コンテンツの露出するユーザＩＤ数を集計する。或いは、（Ｃ）集計サーバ４０は、広告コンテンツの総再露出回数を集計する。或いは、（Ｄ）集計サーバ４０は、広告コンテンツの再露出を行うユーザＩＤ数を集計する。或いは、（Ｅ）集計サーバ４０は、広告コンテンツの総再露出回数又は広告コンテンツの再露出を行うユーザＩＤ数について、後述する広告コンテンツのウェイトを加味した値を集計する。
【００２８】
なお、ユーザＩＤがウェブブラウザを一意に識別する情報である場合には、ユーザＩＤ数をウェブブラウザ数と読み替えてもよい。ユーザＩＤが端末装置１０を一意に識別する情報である場合には、ユーザＩＤ数を端末装置数と読み替えてもよい。
【００２９】
ネットワーク５０は、端末装置１０、ＡＤサーバ２０、収集サーバ３０及び集計サーバ４０を接続するネットワークである。ネットワーク５０は、例えば、インターネットである。或いは、ネットワーク５０は、移動体通信網を含んでもよい。
【００３０】
（端末装置）
以下において、第１実施形態に係る端末装置について説明する。図２は、第１実施形態に係る端末装置１０を示すブロック図である。なお、図２では、端末装置１０を構成する機能ブロックが示されている。
【００３１】
図２に示すように、端末装置１０は、通信部１１と、記憶部１２と、表示部１３と、制御部１４とを有する。
【００３２】
通信部１１は、通信モジュール等によって構成されており、ネットワーク５０上に設けられた各種サーバと通信を行う。
【００３３】
記憶部１２は、ＲＯＭ、ＲＡＭ又はＨＤＤによって構成されており、端末装置１０を制御するためのプログラムを記憶する。第１実施形態において、記憶部１２は、広告コンテンツそのもの、或いは、広告コンテンツを識別する広告識別情報を記憶する。
【００３４】
表示部１３は、液晶パネル等によって構成されており、各種情報を表示する。表示部１３は、ウェブコンテンツ及び広告コンテンツを表示する。
【００３５】
制御部１４は、ＣＰＵによって構成されており、記憶部１２に記憶されたプログラムに従って端末装置１０を制御する。第１実施形態において、制御部１４は、ウェブブラウザ機能部１４Ａ及びサムネイル管理機能部１４Ｂを有する。
【００３６】
ウェブブラウザ機能部１４Ａは、ウェブコンテンツとともに広告コンテンツを表示部１３上に表示するウェブブラウザを制御する。第１実施形態では、ウェブブラウザ機能部１４Ａは、サムネイル管理機能部１４Ｂの指示に応じて、広告コンテンツを表示部１３上に再表示する。
【００３７】
例えば、ウェブブラウザ機能部１４Ａは、広告コンテンツの再表示において、広告コンテンツをサムネイル形式で表示する。ウェブブラウザ機能部１４Ａは、図３に示すように、広告コンテンツを１つずつ表示してもよい。或いは、ウェブブラウザ機能部１４Ａは、図４に示すように、複数の広告コンテンツを纏めて表示してもよい。
【００３８】
図３に示すケースにおいては、優先順位が高い順に広告コンテンツが時系列で表示されることが好ましい。例えば、”Ｎｅｘｔ”がクリックされると、現在表示されている広告コンテンツよりも優先順位が１段階低い広告コンテンツが表示される。一方で、”Ｐｒｅｖ”がクリックされると、現在表示されている広告コンテンツよりも優先順位が１段階高い広告コンテンツが表示される。
【００３９】
図４に示すケースにおいては、優先順位が高いほど、目立つように広告コンテンツが表示される。例えば、優先順位が高いほど、表示部１３の上側に広告コンテンツが表示される。或いは、優先順位が高いほど、広告コンテンツが大きく表示されてもよい。例えば、”Ｎｅｘｔ”がクリックされると、現在表示されている広告コンテンツのうち、最も優先順位が高い広告コンテンツに代えて、現在表示されている広告コンテンツよりも優先順位が１段階低い広告コンテンツが追加される。一方で、”Ｐｒｅｖ”がクリックされると、現在表示されている広告コンテンツのうち、最も優先順位が低い広告コンテンツに代えて、現在表示されている広告コンテンツよりも優先順位が１段階高い広告コンテンツが追加される。或いは、”Ｎｅｘｔ”がクリックされると、現在表示されている広告コンテンツに代えて、現在表示されている広告コンテンツよりも優先順位が低い複数の広告コンテンツが追加される。一方で、”Ｐｒｅｖ”がクリックされると、現在表示されている広告コンテンツに代えて、現在表示されている広告コンテンツよりも優先順位が高い広告コンテンツが追加される。
【００４０】
サムネイル管理機能部１４Ｂは、ウェブブラウザによって表示された広告コンテンツの再露出を管理する再露出管理部を構成する。サムネイル管理機能部１４Ｂは、広告コンテンツの再露出を収集サーバ３０に通知する。詳細には、サムネイル管理機能部１４Ｂは、後述するサムネイル要求又は再露出通知の送信を通信部１１に指示する。
【００４１】
広告コンテンツの再露出の管理方法については、図６〜図９を参照しながら説明するが、基本的な管理方法は以下に示す通りである。
【００４２】
管理方法１（図６を参照）において、サムネイル管理機能部１４Ｂは、ウェブブラウザによって広告コンテンツが表示された場合に、広告コンテンツそのものを収集サーバ３０に送信する。サムネイル管理機能部１４Ｂは、広告コンテンツの再露出が指示された場合に、広告コンテンツの送信を収集サーバ３０に要求することによって、広告コンテンツの再露出を収集サーバ３０に通知するとともに、収集サーバ３０から受信する広告コンテンツの表示をウェブブラウザ機能部１４Ａに指示する。
【００４３】
管理方法１では、サムネイル管理機能部１４Ｂは、広告コンテンツを記憶する役割を収集サーバ３０に委任する。従って、広告コンテンツそのもの或いは広告コンテンツを識別する広告識別情報を記憶部１２に記憶する必要がない。
【００４４】
管理方法２（図７を参照）において、サムネイル管理機能部１４Ｂは、ウェブブラウザによって表示された広告コンテンツそのものを管理する。サムネイル管理機能部１４Ｂは、広告コンテンツの再露出が指示された場合に、広告コンテンツの再露出を収集サーバ３０に通知するとともに、サムネイル管理機能部１４Ｂによって管理されている広告コンテンツの表示をウェブブラウザ機能部１４Ａに指示する。
【００４５】
管理方法２では、サムネイル管理機能部１４Ｂは、広告コンテンツそのものを記憶部１２に記憶する。従って、端末装置１０と収集サーバ３０との間の通信環境が整っていない状態であっても、広告コンテンツを表示することが可能である。
【００４６】
管理方法３（図８を参照）において、サムネイル管理機能部１４Ｂは、ウェブブラウザによって広告コンテンツが表示された場合に、広告コンテンツを識別する広告識別情報を収集サーバ３０に送信する。サムネイル管理機能部１４Ｂは、広告コンテンツの再露出が指示された場合に、広告コンテンツの送信を収集サーバ３０に要求することによって、広告コンテンツの再露出を収集サーバ３０に通知するとともに、収集サーバ３０から受信する広告コンテンツの表示をウェブブラウザ機能部１４Ａに指示する。
【００４７】
管理方法３では、サムネイル管理機能部１４Ｂは、広告コンテンツを識別する広告識別情報を収集サーバ３０に送信する。広告コンテンツそのものを収集サーバ３０に送信するケースと比べて、端末装置１０と収集サーバ３０との間の通信負荷が軽減される。また、管理方法３では、サムネイル管理機能部１４Ｂは、広告コンテンツを記憶する役割を収集サーバ３０に委任する。従って、広告コンテンツそのもの或いは広告コンテンツを識別する広告識別情報を記憶部１２に記憶する必要がない。
【００４８】
管理方法４（図９を参照）において、サムネイル管理機能部１４Ｂは、ウェブブラウザによって表示された広告コンテンツを識別する広告識別情報を管理する。サムネイル管理機能部１４Ｂは、広告コンテンツの再露出が指示された場合に、広告コンテンツの再露出を収集サーバ３０に通知するとともに、再露出管理部によって管理されている広告識別情報によって広告コンテンツを取得して、広告コンテンツの表示をウェブブラウザ機能部１４Ａに指示する。
【００４９】
管理方法４では、サムネイル管理機能部１４Ｂは、広告コンテンツを識別する広告識別情報を記憶部１２に記憶する。従って、広告コンテンツそのものを記憶部１２に記憶するケースと比べて、記憶部１２の記憶容量が小さくてよい。
【００５０】
（収集サーバ）
以下において、第１実施形態に係る収集サーバについて説明する。図５は、第１実施形態に係る収集サーバ３０を示すブロック図である。なお、図５では、収集サーバ３０を構成する機能ブロックが示されている。
【００５１】
図５に示すように、収集サーバ３０は、通信部３１と、記憶部３２と、制御部３３とを有する。
【００５２】
通信部３１は、通信モジュール等によって構成されており、端末装置１０及びネットワーク５０上に設けられた各種サーバと通信を行う。通信部３１は、ウェブブラウザによって表示された広告コンテンツの再露出の通知を受信する受信部を構成する。詳細には、通信部３１は、後述するサムネイル要求又は再露出通知を端末装置１０から受信する。
【００５３】
記憶部３２は、ＲＯＭ、ＲＡＭ又はＨＤＤによって構成されており、端末装置１０を制御するためのプログラムを記憶する。記憶部３２は、例えば、上述した視聴データを記憶する。また、記憶部３２は、広告コンテンツそのもの、或いは、広告コンテンツを識別する広告識別情報を記憶する。
【００５４】
制御部３３は、ＣＰＵによって構成されており、記憶部３２に記憶されたプログラムに従って収集サーバ３０を制御する。収集サーバ３０は、端末装置１０から広告コンテンツのサムネイルを要求された場合に、ＡＤサーバ２０から広告コンテンツを取得して、広告コンテンツを端末装置１０に送信する。
【００５５】
第１実施形態において、制御部３３は、広告コンテンツの重付処理を行う。具体的には、制御部３３は、再露出対象の広告コンテンツのウェイトが高くなるように、広告コンテンツに重み付けを行う。制御部３３は、サムネイル機能の終了タイミングで表示部１３に表示されていた広告コンテンツのウェイトのみが高くなるように、広告コンテンツに重み付けを行ってもよい。或いは、制御部３３は、サムネイル機能の終了タイミングで表示部１３上に表示されていた広告コンテンツのウェイトが、再露出対象の他の広告コンテンツのウェイトよりも高くなるように、広告コンテンツに重み付けを行ってもよい。
【００５６】
制御部３３は、視聴データを管理する。視聴データは、例えば、ユーザＩＤ、広告コンテンツ（或いは、広告コンテンツを識別する広告識別情報）、広告コンテンツの配信時間、広告コンテンツの広告主を示す情報を含む。制御部３３は、視聴データとして、広告コンテンツのウェイトを管理してもよい。
【００５７】
（管理方法１）
以下において、管理方法１について、図６を参照しながら説明する。
【００５８】
図６に示すように、ステップＳ１０において、ウェブブラウザ機能部１４Ａは、ウェブコンテンツを表示するとともに、広告コンテンツを要求する広告要求をＡＤサーバ２０に送信する。ウェブブラウザ機能部１４Ａは、広告コンテンツのドメイン名又は広告コンテンツのサイズによって、ウェブコンテンツに含まれる広告コンテンツを特定する。
【００５９】
ステップＳ２０において、ＡＤサーバ２０は、広告要求に応じて、広告コンテンツをウェブブラウザ機能部１４Ａに送信する。
【００６０】
ステップＳ３０において、ウェブブラウザ機能部１４Ａは、広告コンテンツ情報をサムネイル管理機能部１４Ｂに通知する。広告コンテンツ情報は、ユーザＩＤ、広告コンテンツそのもの、広告コンテンツの配信時間を含む。
【００６１】
ステップＳ４０において、サムネイル管理機能部１４Ｂは、広告コンテンツ情報を収集サーバ３０に送信する。広告コンテンツ情報は、ユーザＩＤ、広告コンテンツそのもの、広告コンテンツの配信時間を含む。
【００６２】
ステップＳ５０において、収集サーバ３０は、広告コンテンツに対する付加情報を登録する。付加情報は、例えば、広告コンテンツを識別する広告識別情報（ここでは、オペレータが設定する任意の値）、広告コンテンツの広告主を示す情報である。付加情報は、例えば、オペレータの手入力によって登録される。
【００６３】
ステップＳ１１０において、ウェブブラウザ機能部１４Ａは、広告コンテンツの再露出を指示する再露出指示をサムネイル管理機能部１４Ｂに通知する。広告コンテンツの再露出は、ウェブブラウザのユーザ操作によって指示される。
【００６４】
例えば、図３に示すケースでは、再露出指示は、サムネイル機能の起動タイミングでは、直近に表示された１つの広告コンテンツの再露出を指示する。また、再露出指示は、サムネイル機能の起動タイミング以降では、”Ｎｅｘｔ”又は”Ｐｒｅｖ”のクリックに対応する広告コンテンツの再露出を指示する。
【００６５】
例えば、図４に示すケースでは、再露出指示は、サムネイル機能の起動タイミングでは、直近に表示された複数の広告コンテンツの再露出を指示する。また、再露出指示は、サムネイル機能の起動タイミング以降では、”Ｎｅｘｔ”又は”Ｐｒｅｖ”のクリックに対応する広告コンテンツの再露出を指示する。
【００６６】
ステップＳ１２０において、サムネイル管理機能部１４Ｂは、広告コンテンツを要求するサムネイル要求を収集サーバ３０に送信する。
【００６７】
ステップＳ１３０において、収集サーバ３０は、広告コンテンツの重付処理を行う。具体的には、収集サーバ３０は、再露出対象の広告コンテンツのウェイトが高くなるように、広告コンテンツに重み付けを行う。収集サーバ３０は、サムネイル機能の終了タイミングで表示部１３に表示されていた広告コンテンツのウェイトのみが高くなるように、広告コンテンツに重み付けを行ってもよい。或いは、収集サーバ３０は、サムネイル機能の終了タイミングで表示部１３上に表示されていた広告コンテンツのウェイトが、再露出対象の他の広告コンテンツのウェイトよりも高くなるように、広告コンテンツに重み付けを行ってもよい。
【００６８】
ステップＳ１４０において、収集サーバ３０は、サムネイル要求に応じて、サムネイル画像（広告コンテンツ）をサムネイル管理機能部１４Ｂに送信する。
【００６９】
ステップＳ１５０において、サムネイル管理機能部１４Ｂは、サムネイル画像（広告コンテンツ）の表示をウェブブラウザ機能部１４Ａに指示する。これによって、図３又は図４に示すように、サムネイル画像（広告コンテンツ）が表示部１３上に表示される。
【００７０】
ステップＳ２１０において、集計サーバ４０は、視聴データを要求するデータ要求を収集サーバ３０に送信する。
【００７１】
ステップＳ２２０において、収集サーバ３０は、視聴データを含むデータ応答を集計サーバ４０に送信する。
【００７２】
ステップＳ２３０において、集計サーバ４０は、視聴データを集計する。具体的には、集計サーバ４０は、収集サーバ３０によって収集された視聴データに基づいて、広告コンテンツの視聴データを様々なパラメータ（例えば、ユーザの属性、配信時間）等を集計する。
【００７３】
（管理方法２）
以下において、管理方法２について、図７を参照しながら説明する。図７においては、図６と同様の処理について、同様のステップ番号を付している。
【００７４】
図７に示すように、ステップＳ４０の処理に代えて、ステップＳ４０Ａにおいて、サムネイル管理機能部１４Ｂは、広告コンテンツ識別情報を収集サーバ３０に送信する。広告コンテンツ識別情報は、ユーザＩＤ、広告コンテンツを識別する広告識別情報、広告コンテンツの配信時間を含む。
【００７５】
ステップＳ５０の処理に代えて、ステップＳ５０Ａにおいて、収集サーバ３０は、広告コンテンツに対する付加情報を登録する。付加情報は、例えば、広告コンテンツの広告主を示す情報である。付加情報は、例えば、オペレータの手入力によって登録される。管理方法２では、広告識別情報が通知されているため、広告識別情報（オペレータが設定する任意の値）の登録が省略されてもよい。
【００７６】
ステップＳ１２０の処理に代えて、ステップ１２０Ａにおいて、サムネイル管理機能部１４Ｂは、広告コンテンツの再露出を通知する再露出通知を収集サーバ３０に送信する。再露出通知は、少なくとも、広告コンテンツ識別情報を含んでいればよい。或いは、再露出通知は、広告コンテンツ識別情報に加えて、ユーザＩＤを含んでいてもよい。
【００７７】
ステップＳ１５０の処理に代えて、ステップ１５０Ａにおいて、サムネイル管理機能部１４Ｂは、サムネイル画像（広告コンテンツ）の表示をウェブブラウザ機能部１４Ａに指示する。これによって、図３又は図４に示すように、サムネイル画像（広告コンテンツ）が表示部１３上に表示される。
【００７８】
管理方法２において、広告コンテンツは、サムネイル管理機能部１４Ｂによって記憶部１２に記憶されることに留意すべきである。従って、図６に示すステップＳ１４０の処理が不要である。
【００７９】
図７に示すケースでは、収集サーバ３０が広告コンテンツを記憶する点について言及していないが、収集サーバ３０は、端末装置１０（サムネイル管理機能部１４Ｂ）から広告コンテンツそのものを受信してもよい。例えば、収集サーバ３０は、広告コンテンツ識別情報とともに広告コンテンツそのものを端末装置１０（サムネイル管理機能部１４Ｂ）から受信してもよく、広告コンテンツそのもののみを端末装置１０（サムネイル管理機能部１４Ｂ）から受信してもよい。或いは、収集サーバ３０は、端末装置１０（サムネイル管理機能部１４Ｂ）から受信する広告コンテンツ識別情報に基づいて、広告コンテンツ識別情報に対応する広告コンテンツをＡＤサーバ２０から取得してもよい。
【００８０】
なお、端末装置１０でサムネイル画像を表示する観点では、端末装置１０（サムネイル管理機能部１４Ｂ）から収集サーバ３０に対して広告コンテンツそのものを送信する必要がないことに留意すべきである。
【００８１】
（管理方法３）
以下において、管理方法３について、図８を参照しながら説明する。図８においては、図６と同様の処理について、同様のステップ番号を付している。
【００８２】
図８に示すように、ステップＳ３０の処理に代えて、ステップＳ３０Ｂにおいて、ウェブブラウザ機能部１４Ａは、広告コンテンツ識別情報をサムネイル管理機能部１４Ｂに通知する。広告コンテンツ識別情報は、ユーザＩＤ、広告コンテンツを識別する広告識別情報、広告コンテンツの配信時間を含む。
【００８３】
ステップＳ４０の処理に代えて、ステップＳ４０Ｂにおいて、サムネイル管理機能部１４Ｂは、広告コンテンツ識別情報を収集サーバ３０に送信する。
【００８４】
ステップＳ５０Ｂにおいて、収集サーバ３０は、広告識別情報に対応する広告コンテンツを要求する広告要求をＡＤサーバ２０に送信する。
【００８５】
ステップＳ６０Ｂにおいて、ＡＤサーバ２０は、広告要求に応じて、広告コンテンツを収集サーバ３０に送信する。
【００８６】
ステップＳ５０の処理に代えて、ステップＳ７０Ｂにおいて、収集サーバ３０は、広告コンテンツに対する付加情報を登録する。付加情報は、例えば、広告コンテンツの広告主を示す情報である。付加情報は、例えば、オペレータの手入力によって登録される。管理方法３では、広告識別情報が通知されているため、広告識別情報（オペレータが設定する任意の値）の登録が省略されてもよい。
【００８７】
（管理方法４）
以下において、管理方法４について、図９を参照しながら説明する。図９においては、図８と同様の処理について、同様のステップ番号を付している。
【００８８】
図９に示すように、ステップＳ１２０の処理に代えて、ステップ１２０Ｃにおいて、サムネイル管理機能部１４Ｂは、広告コンテンツの再露出を通知する再露出通知を収集サーバ３０に送信する。再露出通知は、少なくとも、広告コンテンツ識別情報を含んでいればよい。或いは、再露出通知は、広告コンテンツ識別情報に加えて、ユーザＩＤを含んでいてもよい。
【００８９】
ステップ１４０の処理に代えて、ステップ１４１Ｃ及びステップ１４２Ｃにおいて、収集サーバ３０は、再露出対象の広告コンテンツを要求する広告要求をＡＤサーバ２０に送信し、再露出対象の広告コンテンツをＡＤサーバ２０から受信する。
【００９０】
（作用及び効果）
第１実施形態では、サムネイル管理機能部１４Ｂは、ウェブブラウザによって表示された広告コンテンツの再露出を管理する。従って、ユーザは、ユーザが過去に見逃した広告コンテンツを再視聴することが可能である。
【００９１】
第１実施形態では、サムネイル管理機能部１４Ｂは、広告コンテンツの再露出を収集サーバ３０に通知する。ここで、広告コンテンツの再露出は、ユーザが過去に見逃した広告コンテンツを意図的に視聴することを意味するため、”広告コンテンツの再露出”は、広告コンテンツの効果を測定する上で非常に有用な情報である。このような情報が収集サーバ３０に通知されるため、収集サーバは、広告コンテンツの効果測定を効果的に行うことが可能である。
【００９２】
［変更例１］
以下において、第１実施形態の変更例１について説明する。以下においては、第１実施形態に対する相違点について主として説明する。
【００９３】
具体的には、第１実施形態では、特に限定されるものではないが、端末装置１０から収集サーバ３０に対する情報（広告コンテンツ或いは広告コンテンツを識別する広告識別情報）の送信は、ツールバーを用いるツールバー方式又は測定タグを用いる測定タグ方式によって行われる。
【００９４】
これに対して、変更例１では、端末装置１０から収集サーバ３０に対する情報（広告コンテンツ或いは広告コンテンツを識別する広告識別情報）の送信は、プロキシ方式によって行われる。
【００９５】
具体的には、変更例１において、ウェブブラウザ機能部１４Ａは、収集サーバ３０をプロキシサーバとして設定している。ウェブブラウザ機能部１４Ａは、収集サーバ３０を経由して広告コンテンツを取得するとともに、広告コンテンツを識別する広告識別情報をサムネイル管理機能部１４Ｂに通知する。
【００９６】
（変更例１に係る管理方法）
以下において、変更例１に係る管理方法について、図１０を参照しながら説明する。図１０においては、図６と同様の処理について、同様のステップ番号を付している。
【００９７】
図１０に示すように、ステップＳ１０の処理に代えて、ステップＳ１０Ｄにおいて、ウェブブラウザ機能部１４Ａは、収集サーバ３０を経由して、広告コンテンツを要求する広告要求をＡＤサーバ２０に送信する。
【００９８】
ステップＳ２０の処理に代えて、ステップＳ２０Ｄにおいて、ＡＤサーバ２０は、収集サーバ３０を経由して、広告コンテンツをウェブブラウザ機能部１４Ａに送信する。
【００９９】
ステップＳ３０の処理に代えて、ステップＳ３０Ｄにおいて、ウェブブラウザ機能部１４Ａは、広告コンテンツ識別情報をサムネイル管理機能部１４Ｂに通知する。広告コンテンツ識別情報は、ユーザＩＤ、広告コンテンツを識別する広告識別情報、広告コンテンツの配信時間を含む。
【０１００】
変更例１において、収集サーバ３０は、ステップＳ１０Ｄ又はステップＳ２０Ｄにおいて、広告コンテンツのドメイン名又は広告コンテンツのサイズによって、ウェブコンテンツに含まれる広告コンテンツを特定することに留意すべきである。
【０１０１】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１０２】
実施形態では、収集サーバ３０及び集計サーバ４０が別々のサーバであるが、実施形態はこれに限定されるものではない。収集サーバ３０及び集計サーバ４０は、同一のサーバであってもよい。
【０１０３】
実施形態では特に触れていないが、視聴データを記憶するデータベースは、収集サーバ３０と別々に設けられてもよい。また、広告コンテンツそのもの、或いは、広告コンテンツを識別する広告識別情報を記憶するデータベースは、収集サーバ３０と別々に設けられてもよい。
【符号の説明】
【０１０４】
１０…端末装置、１１…通信部、１２…記憶部、１３…表示部、１４…制御部、１４Ａ…ウェブブラウザ機能部、１４Ｂ…サムネイル管理機能部、２０…ＡＤサーバ、３０…収集サーバ、３１…通信部、３２…記憶部、３３…制御部、４０…集計サーバ、５０…ネットワーク、１００…視聴調査システム
【図１】
0005938020.tif 000002
【図２】
0005938020.tif 000003
【図３】
0005938020.tif 000004
【図４】
0005938020.tif 000005
【図５】
0005938020.tif 000006
【図６】
0005938020.tif 000007
【図７】
0005938020.tif 000008
【図８】
0005938020.tif 000009
【図９】
0005938020.tif 000010
【図１０】
0005938020.tif 000011